(57)【要約】【課題】      ペットボトルを収納していないときは小ぶりな可愛いぬいぐるみの状態とすることができ、また、ペットボトルを収納する場合には十分な大きさのペットボトル収納袋にペットボトルが収納でき且つ小ぶりのぬいぐるみがちょこんと付いていて非常に可愛い状態を呈するぬいぐるみを提供する。【解決手段】  ぬいぐるみ本体の腹部１ａに横方向に延びる開口２が形成されており、開口の一端部にペットボトル収納袋３の一端部が縫着されまたは脱着可能に取着されて開口内にペットボトル収納袋が出入れ可能に収納されており、開口から取出したペットボトル収納袋とぬいぐるみ本体とを係合させる係合部材がぬいぐるみ本体とペットボトル収納袋に設けられている。【選択図】    図１
0003119551.tif 000002
【実用新案登録請求の範囲】
【請求項１】
腹部に開口が形成されており、該開口内にペットボトル収納袋が出入れ可能に収納されており、前記開口の一端部と前記ペットボトル収納袋の一端部とが縫着されまたは脱着可能に取着されていることを特徴とするぬいぐるみ。
【請求項２】
ぬいぐるみ本体の腹部に横方向に延びる開口が形成されており、該開口の一端部にペットボトル収納袋の一端部が縫着されまたは脱着可能に取着されて前記開口内に前記ペットボトル収納袋が出入れ可能に収納されており、前記開口から取出したペットボトル収納袋とぬいぐるみ本体とを係合させる係合部材がぬいぐるみ本体とペットボトル収納袋に設けられていることを特徴とするぬいぐるみ。
【請求項３】
前記ペットボトル収納袋が巾着袋形状をしていることを特徴とする請求項１または２に記載のぬいぐるみ。
【請求項４】
前記ペットボトル収納袋が撥水性の生地により作られており、ペットボトルの周囲に露がついても外部を濡すことがないことを特徴とする請求項３に記載のぬいぐるみ。
【請求項５】
前記ペットボトルの収納袋が伸縮性を有する生地で作られており、ペットボトルの大きさに応じて該ペットボトル収納袋の大きさが変化することを特徴とする請求項３または４に記載のぬいぐるみ。
【請求項６】
前記ぬいぐるみ本体に差し込みバックル付のバンドが取着されていることを特徴とする請求項１〜５の何れか１項に記載のぬいぐるみ。
【請求項７】
前記腹部の開口にスライドファスナーが設けられ、前記開口が開閉自在であることを特徴とする請求項１〜６の何れか１項に記載のぬいぐるみ。
【考案の詳細な説明】
【技術分野】
【０００１】
本考案はぬいぐるみに関する。より詳しくは本考案はぬいぐるみとして楽しむことと、ぬいぐるみにペットボトルを入れる収納袋を取付けた状態で収納袋付ぬいぐるみとして両方の楽しみ方ができ、しかもペットボトル収納袋に比べてぬいぐるみ本体の大きさが非常に小ぶりのぬいぐるみに関する。
【背景技術】
【０００２】
特許文献１（実用新案登録第３０５０６３３号公報）には、ぬいぐるみの胴体部分を空洞の巾着袋状とし、首部分を開口部として小物の収納を可能としたぬいぐるみと、腕部分を胴体の前で輪を作った形にし、抱えた状態で小物の収納を可能にしたぬいぐるみとが開示されている。
【０００３】
特許文献２（特開２００５−１０２７０９号公報）には、保冷または／および保温機能を有し、且つペットボトルが取出し可能に収納されるボトル収納袋と、少なくとも頭部、胴部および両手部を有する指人形形態であって、その内部空間に対しペットボトルを収納したボトル収納袋が収納および取出しできる開閉可能な開口部を有する外袋とを有することを特徴とするペットボトル収納体が開示されている。
【特許文献１】実用新案登録第３０５０６３３号公報
【特許文献２】特開２００５−１０２７０９号公報
【考案の開示】
【考案が解決しようとする課題】
【０００４】
上述した特許文献１または２に記載されている従来のぬいぐるみにあっては、ペットボトルを収納している状態においては当然のことながらペットボトルの大きさであるが、ペットボトルを収納していない場合にもこのぬいぐるみはペットボトルを収納した状態と同じ大きさとなっている。従って、ぬいぐるみとして非常に大ぶりのものとなってしまい、ペットボトルを収納しないときにぬいぐるみが邪魔な状態になってしまう。このような状態ではぬいぐるみではなく、ナップザックにペットボトルを入れて持ち運ぶのと何ら変りがなく、非常に邪魔な存在となってしまう。
【０００５】
本考案はこのような問題点に鑑みて、ペットボトルを収納していないときは小ぶりな可愛いぬいぐるみの状態とすることができ、また、ペットボトルを収納する場合には十分な大きさのペットボトル収納袋がでてきてペットボトルが収納でき、そのペットボトルを収納した収納袋に小ぶりのぬいぐるみがちょこんと付いていて非常に可愛い状態を呈するぬいぐるみを提供することを目的とするものである。
【課題を解決するための手段】
【０００６】
本考案においては、腹部に開口が形成されており、該開口内にペットボトル収納袋が出入れ可能に収納されており、前記開口の一端部と前記ペットボトル収納袋の一端部とが縫着されまたは脱着可能に取着されていることを特徴とするぬいぐるみにより上記の目的を達成する。
【０００７】
より詳しくは、本考案においては、ぬいぐるみ本体の腹部に横方向に延びる開口が形成されており、該開口の一端部にペットボトル収納袋の一端部が縫着されまたは脱着可能に取着されて前記開口内に前記ペットボトル収納袋が出入れ可能に収納されており、前記開口から取出したペットボトル収納袋とぬいぐるみ本体とを係合させる係合部材がぬいぐるみ本体とペットボトル収納袋に設けられていることを特徴とするぬいぐるみにより上記の目的を達成する。
【０００８】
本考案においては、ペットボトル収納袋が巾着袋形状をしていると収納したペットボトルの落下が防止でき好ましい。また、ぬいぐるみ本体に差し込みバックル付きのバンドンが取着されていることが好ましい。バックル付きのバンドはぬいぐるみ本体またはペットボトルを収納したぬいぐるみを手提げとして持ったり、バッグなどにぬいぐるみ本体を取付けるのに利用できる。また、バンドの長さが長ければ肩から掛けてぬいぐるみそのもの、またはぬいぐるみにペットボトルを収納した状態で肩に掛けて持ち運びすることができる。
【０００９】
また、本考案に係るぬいぐるみにあっては、ペットボトル収納袋と連結されている開口にスライドファスナーや面ファスナーが設けられ、開閉自在であることが好ましい。なお、スライドファスナーや面ファスナーを設ける代わりに開口部が重ね合せ状態となっており、ぬいぐるみの中にペットボトル収納袋を収納した場合には開口の口が重ね合せ部によって塞がれているようにしてもよい。
【考案の効果】
【００１０】
本考案によれば、ぬいぐるみ本体は極めて小ぶりの可愛いものとすることができる。従って、ペットボトルを持っていない場合には小さなぬいぐるみを鞄やバッグにに付けたりして玩具やアクセサリーとして用いることができる。
【００１１】
そして本考案においては、ぬいぐるみの中にペットボトル収納袋が収納されており、必要に応じてペットボトル収納袋を開口を通してぬいぐるみから外へ出すことができる。このようにした場合には、収納袋はペットボトルを収納することができる十分な大きさを持っているので、例えば、３５０ｍｌまたは５００ｍｌ入りのペットボトルをそのままペットボトル収納袋内に収納することができる。また、本考案においては、ペットボトル収納袋とぬいぐるみとの間にスナップボタンとか面ファスナーとかボタンとボタン穴などの係合部材を設けておくことによって、両者を強固に結合させることができ、これにより一方が落ちてしまうようなことをなくすことができる。
【考案を実施するための最良の形態】
【００１２】
以下、添付図面を参照して本考案の実施例につき説明する。図１は本考案に係るぬいぐるみ１の正面図であり、この実施例のぬいぐるみ１は犬の形態をしているが、犬に限らずうさぎとか猫とか熊などの形態としてもよいし、場合によっては動物以外の形としてもよい。
【００１３】
このぬいぐるみ１のお腹の部分１ａに横に開口２が形成されている。この開口２は、この図１においてはお腹１ａの端から端までとなっているが、お腹１ａの一部だけであってもよい。
【００１４】
この開口２の中に巾着袋形状をしたペットボトル収納袋３（図２参照）が収納されている。本考案においてはペットボトル収納袋３に、ミネラルウォータ、日本茶、ウーロン茶、清涼飲料水、スポーツドリンク、コーラなどの入っているペットボトルを収納できる。
【００１５】
図２および図３はペットボトル収納袋３をぬいぐるみ１の開口２を通して腹部１ａから取出した状態を示しており、このペットボトル収納袋３の大きさは収納するペットボトル（図示せず））が十分に収納できる大きさ、すなわち、３５０ｍｌまたは５００ｍｌのペットボトルが収納できる大きさとしてもよいし、伸縮性を有する生地で作り、ペットボトルの大きさに応じて大きさが変化するようにしてもよい。
【００１６】
また、ペットボトル収納袋３を撥水性の生地とすることにより、ペットボトルに付着した露により周囲が濡れないようにしてもよい。
【００１７】
巾着袋形状をしたペットボトル収納袋３の上部は紐４（図３参照）によって縛ることができ、上部を縛ることによってペットボトルが落ちることを防止するようになっている。
【００１８】
開口２の一端部とペットボトル収納袋３の一端部を互いに縫着するか、またはスライドファスナーもしくは面ファスナーにより脱着可能に取着している。これによりぬいぐるみ１から取出したペットボトル収納袋３がぬいぐるみ１から離れて何処かへ行ってしまうことはないし、また逆にペットボトル収納袋３の肩部に付いていたぬいぐるみ１が落ちてしまって何処かへ行ってしまうようなことを防止できる。
【００１９】
更に、本考案においては、ぬいぐるみ１の本体に係止部材５を設けている。図１においては、係止部材を犬形状をしたぬいぐるみ１の両腕の部分に設けており、この実施例においては雌ホックの形状をしている。また、この雌ホックと係合する雄ホック（図示せず）を巾着袋形状をしたペットボトル収納袋３に設けている。この両者を結合することによってペットボトル収納袋３とぬいぐるみ１はより堅固に結び付いた状態となり、開口２に掛かる重みが分散されるので好ましい。
【００２０】
更に、本考案においては、ぬいぐるみ１に差し込みバックル７を具備したバンド６を縫付けている。このバンド６の差し込みバックル７を差込んでリング状とした状態とし、そこを手で持って、ぬいぐるみ１を持ったり、バッグ等にバンド６で取付けたり、またはペットボトルを収納したペットボトル収納袋３にぬいぐるみ１が付いた状態で、ぬいぐるみ１とペットボトル収納袋３を手に持って移動することができる。このバンド６の長さをより長くすることによって、ぬいぐるみ１またはぬいぐるみ１とペットボトル収納袋３を肩から掛けることもできる。
【図面の簡単な説明】
【００２１】
【図１】本考案に係るぬいぐるみの正面図である。
【図２】本考案に係るぬいぐるみからペットボトル収納袋３を取出した状態の正面図である。
【図３】図２の右側面図であり、ぬいぐるみの頭部は図示を省略している。
【符号の説明】
【００２２】
１  ぬいぐるみ
１ａ  腹
２  開口
３  ペットボトル収納袋
４  紐
５  係止部材
６  バンド
７  差し込みバックル
【図１】
0003119551.tif 000003
【図２】
0003119551.tif 000004
【図３】
0003119551.tif 000005